(57)【特許請求の範囲】
【請求項１】
第１方向に沿って等間隔に並べられた複数の色の基準を含む画像の画像信号を、撮像装置から取得する取得部と、
前記画像において、前記第１方向に沿った直線を選択可能なラインセレクタ処理部と、
前記ラインセレクタ処理部が選択した直線における前記画像の画像信号の特徴量を測定する第１測定部と、
前記ラインセレクタ処理部が選択した直線に基づいて、前記画像の領域を特定する領域特定部と、
前記領域特定部が特定した領域における前記画像の画像信号の特徴量を測定する第２測定部と、
を備え、
前記ラインセレクタ処理部は、前記第１方向に沿った第１直線と第２直線と、前記第１方向に直交する第２方向に沿った第３直線と第４直線とを選択し、
前記領域特定部は、前記第１直線と前記第２直線と前記第３直線と前記第４直線とに囲まれた第１領域を特定する、
測定装置。
【請求項２】
前記領域特定部は、前記第１領域を分割して複数の第２領域を特定する
請求項１に記載の測定装置。
【請求項３】
前記領域特定部は、前記第２領域に含まれ、前記第２領域に比して小さい第３領域を特定する
請求項２に記載の測定装置。
【請求項４】
前記第２測定部は、前記領域特定部が特定した複数の領域各々の識別情報と、当該複数の領域各々の画像信号の特徴量とを対応付けて表示する
請求項１から請求項３のいずれか一項に記載の測定装置。
【発明の詳細な説明】
【技術分野】
【０００１】
本発明は、画像信号の測定装置に関する。
【背景技術】
【０００２】
従来、撮像装置のトーンカーブ調整や色校正を行うために、波形モニタやベクトルスコープが用いられている。波形モニタとは、映像信号の観測に特化したオシロスコープであり、映像信号から輝度信号（波形）を測定する装置である。ベクトルスコープとは、映像信号から色信号（ベクトル）を測定する装置である。一般的に、これらの装置には、水平ライン、垂直ラインを選択するラインセレクト機能が実装されている。ラインセレクト機能を用いることにより、ユーザは、選択したラインにおける波形やベクトルを表示することができる。
このような装置に関して、例えば特許文献１には、ビデオ映像のビデオ信号の輝度レベルを色情報に変換して、ビデオ映像の輝度の変化を色の変化として表示することが記載されている。
【先行技術文献】
【特許文献】
【０００３】
【特許文献１】再公表ＷＯ２００９／０７５０２７号公報
【発明の概要】
【発明が解決しようとする課題】
【０００４】
ところで、実際に撮像装置を調整する場合は、まず、撮像装置によりグレイスケールやカラーパッチ等の基準パターンを撮像する。次に、撮像により得られた映像信号の特徴量（波形、ベクトル）を、波形モニタやベクトルスコープにより測定するが、映像信号にはノイズが含まれるため、特徴量は一定にはならない。このように変動する特徴量を目視で確認していると、測定の精度が低下してしまう。従って、映像信号の解析が困難になる場合があった。
【０００５】
本発明のいくつかの態様は、映像信号の解析を容易にすることができる測定装置を提供することを目的の一つとする。
【０００６】
また、本発明の他の態様は、後述する実施形態に記載した作用効果を奏することを可能にする測定装置を提供することを目的の一つとする。
【課題を解決するための手段】
【０００７】
上述した課題を解決するために、本発明の一態様は、第１方向に沿って等間隔に並べられた複数の色の基準を含む画像の画像信号を、撮像装置から取得する取得部と、前記画像において、前記第１方向に沿った直線を選択可能なラインセレクタ処理部と、前記ラインセレクタ処理部が選択した直線における前記画像の画像信号の特徴量を測定する第１測定部と、前記ラインセレクタ処理部が選択した直線に基づいて、前記画像の領域を特定する領域特定部と、前記領域特定部が特定した領域における前記画像の画像信号の特徴量を測定する第２測定部と、を備える測定装置である。
また、本発明の一態様は、上記測定装置において、前記ラインセレクタ処理部は、前記第１方向に沿った第１直線と第２直線と、前記第１方向に直交する第２方向に沿った第３直線と第４直線とを選択し、前記領域特定部は、前記第１直線と前記第２直線と前記第３直線と前記第４直線とに囲まれた第１領域を特定する。
また、本発明の一態様は、上記測定装置において、前記領域特定部は、前記第１領域を分割して複数の第２領域を特定する。
また、本発明の一態様は、上記測定装置において、前記領域特定部は、前記第２領域に含まれ、前記第２領域に比して小さい第３領域を特定する。
また、本発明の一態様は、上記測定装置において、前記第２測定部は、前記領域特定部が特定した複数の領域各々の識別情報と、当該複数の領域各々の画像信号の特徴量とを対応付けて表示する。
【発明の効果】
【０００８】
本発明の一態様によれば、測定装置は、映像信号の解析を容易にすることができる。
【図面の簡単な説明】
【０００９】
【図１】本発明の一実施形態に係る測定装置の利用場面を示す図である。
【図２】同実施形態に係る測定装置の構成を示す図である。
【図３】同実施形態に係る測定装置によるライン測定処理の流れを示す図である。
【図４】同実施形態に係る測定装置による領域測定処理の流れを示す図である。
【図５】同実施形態に係る測定装置による領域の特定を説明するための図である。
【図６】同実施形態に係る測定装置による解析結果の表示例を示す図である。
【図７】同実施形態に係る測定装置による基準パターンの別例を示す図である。
【発明を実施するための形態】
【００１０】
以下、本発明の一実施形態について、図面を参照して説明する。
まず、本実施形態に係る測定装置１０の利用の概要について説明する。
図１は、本実施形態に係る測定装置１０の利用場面を示す図である。
図１に示すように、測定装置１０と撮像装置３０とは、通信可能に接続される。撮像装置３０は、所定の基準パターンＳＴＤ１を撮像する。撮像装置３０は、撮像した基準パターンＳＴＤ１の映像信号を、測定装置１０に出力する。
【００１１】
測定装置１０は、撮像装置３０から取得した映像信号の特徴量（ビデオコード）を測定する装置である。具体的には、測定装置１０は、波形モニタやベクトルスコープである。映像信号の特徴量とは、映像信号の波形やベクトルである。つまり、測定装置１０は、撮像装置３０が撮像した基準パターンＳＴＤ１の映像信号の波形やベクトルを測定し、測定結果を表示する。ユーザは、測定結果を観察し、撮像装置３０のトーンカーブ調整や色校正を行う。
【００１２】
基準パターンＳＴＤ１は、複数の異なる色を並べた画像である。図１では、異なる色は、異なるハッチングにより表している。各色の領域は、概ね同じ大きさの矩形である。また、各色の領域は、等間隔で設けられる。各色は、間隔を空けずに並べられてもよい。また、各色の領域は、予め定められた方向に沿って並べられる。図１に示す例では、各色の領域は、水平方向（Ｈ軸方向）と垂直方向（Ｖ軸方向）とに並べられている。この場合、撮像装置３０は、後述する測定装置１０の表示部１３に基準パターンＳＴＤ１が表示される際に、表示部１３の矩形の表示面の横方向（ｈ軸方向、図５）と、縦方向（ｖ軸方向、図５）とが概ね一致するように基準パターンＳＴＤ１を撮像する。基準パターンＳＴＤ１に含まれる色の種類、色の数、色の並べる順序は、任意であってよい。以下では一例として、基準パターンＳＴＤ１は、水平方向に６列、垂直方向に４行の色を含むパターンである場合について説明する。基準パターンＳＴＤ１は、表示装置に表示される画像であってもよいし、紙等の物理媒体に印刷された画像であってよい。
以上が、測定装置１０の利用方法の概要についての説明である。
【００１３】
次に、測定装置１０の構成について説明する。
図２は、測定装置１０の構成を示す図である。
測定装置１０は、通信部１１と、入力部１２と、表示部１３と、記憶部１４と、制御部１５と、を備える。
通信部１１は、通信用インターフェースを備え、撮像装置３０と通信する。
入力部１２は、機械式ボタン、ホイールキー、マウス、タッチセンサ等の各種入力装置を備え、ユーザによる指示を受け付ける。
表示部１３は、液晶ディスプレイパネル、有機ＥＬ（Ｅｌｅｃｔｒｏ−Ｌｕｍｉｎｅｓｃｅｎｃｅ）ディスプレイパネル、ＣＲＴ（Ｃａｔｈｏｄｅ  Ｒａｙ  Ｔｕｂｅ）等の表示装置を備え、映像信号が示す画像や映像信号の特徴量の解析結果を表示する。本実施形態では、一例として、表示部  １３が矩形の表示面を備える場合について説明する。
【００１４】
記憶部１４は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等を備える。また、記憶部１４は、ＨＤＤ（Ｈａｒｄ  Ｄｉｓｃ  Ｄｒｉｖｅ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒy）、フラッシュメモリ等を備えてもよい。記憶部１４は、制御部１５の処理に用いられる各種データや制御部１５の処理結果を記憶する。
【００１５】
制御部１５は、画像取得部１５１と、ラインセレクタ処理部１５２と、第１測定部１５３と、領域特定部１５４と、第２測定部１５５と、表示制御部１５６と、を備える。これら制御部１５の各構成は、例えばＬＳＩ（Ｌａｒｇｅ  Ｓｃａｌｅ  Ｉｎｔｅｇｒａｔｉｏｎ）やＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等のハードウェアの集積回路として実現される。
【００１６】
画像取得部１５１は、通信部１１を介して、撮像装置３０が出力する映像信号を取得する。画像取得部１５１は、取得した映像信号を第１測定部と、第２測定部と、表示制御部１５６と、に出力する。
ラインセレクタ処理部１５２は、入力部１２へのユーザの操作を介して、ラインの指定を受け付ける。ここで、ラインとは、ｈ軸方向又はｖ軸方向に平行な直線である。ラインセレクタ処理部１５２は、複数のラインの指定を受け付けてよい。ラインセレクタ処理部１５２は、指定されたラインの情報（以下、ライン情報と称する。）を第１測定部１５３と、領域特定部１５４と、に出力する。
【００１７】
第１測定部１５３は、ラインセレクタ処理部１５２からライン情報を取得する。また、第１測定部１５３は、画像取得部１５１から映像信号を取得する。第１測定部１５３は、ライン情報が示すラインにおいて、映像信号の特徴量を測定する。具体的には、第１測定部１５３は、ラインの各画素の映像信号について、特徴量を測定する。第１測定部１５３は、特徴量の測定結果を表示制御部１５６に出力する。以下では、第１測定部１５３による測定結果をライン測定結果と称する。
【００１８】
領域特定部１５４は、ラインセレクタ処理部１５２からライン位置情報を取得する。ここで、領域特定部１５４は、ｈ軸に平行な２つのラインと、ｖ軸に平行な２つのラインとに関する４つのライン位置情報を取得する。領域特定部１５４は、取得したライン位置情報が示すラインによって囲まれる矩形領域を特定する。以下では、この矩形領域を第１領域と称する。
【００１９】
また、領域特定部１５４は、入力部１２へのユーザの操作を介して、基準パターンＳＴＤ１の配列の指定を受け付ける。配列の指定は、例えば、ｍ行ｎ列（ｍ、ｎは、１以上の整数）について、行数ｍと列数ｎとの値を指定する形式で行われる。例えば、基準パターンＳＴＤ１を構成する色が一色のみの場合には、行数１（ｍ＝１）、列数１（ｎ＝１）が指定される。図１に示す例では、基準パターンＳＴＤ１は、４行６列の配列を有する。従って、この場合には、領域特定部１５４は、ユーザから４行６列である旨の入力を受け付ける。領域特定部１５４は、第１領域を、４行６列に分割する。以下では、分割された領域を第２領域と称する。第２領域は、第１領域を分割して得られる領域であるため、第１領域に含まれる領域である。領域特定部１５４は、第２領域のそれぞれに、識別情報を割当てる。
【００２０】
また、領域特定部１５４は、入力部１２へのユーザの操作を介して、第２領域の縮小率の指定を受け付ける。縮小率は、０〜１００％までの数値により表される。領域特定部１５４は、指定された縮小率で第２領域を縮小した領域を特定する。例えば、領域特定部１５４は、第２領域と同じ中心を有し、指定された縮小率の面積比で第２領域を縮小して得られる領域を特定する。以下では、縮小された領域を第３領域と称する。第３領域は、第２領域を縮小して得られる領域であるため、第２領域に含まれる領域である。
領域特定部１５４は、特定した第１領域と、第２領域と、第３領域との情報を、第２測定部１５５を出力する。
【００２１】
第２測定部１５５は、領域特定部１５４から第１領域と、第２領域と、第３領域との情報を取得する。また、第２測定部１５５は、画像取得部１５１から映像信号を取得する。第２測定部１５５は、第３領域において、映像信号の特徴量を測定する。具体的には、第２測定部１５５は、第３領域に含まれる各画素の映像信号について、特徴量を測定する。第２測定部１５５は、特徴量を統計処理してもよい。例えば、第２測定部１５５は、各画素に対応する映像信号について特徴量の平均値や中央値を算出してもよい。この場合、第２測定部１５５は、第３領域内に含まれる各画素の画素値の平均値や中央値を算出する。平均値や中央値といった統計量を測定結果として用いることにより、映像信号にノイズが含まれ、特徴量が変動する場合であっても、特徴量の変動を吸収し、安定した測定結果を取得することができる。測定する特徴量の種類は、例えば、ユーザにより指定可能である。第２測定部１５５は、特徴量の測定結果を表示制御部１５６に出力する。以下では、第２測定部１５５による測定結果を領域測定結果と称する。
【００２２】
表示制御部１５６は、画像取得部１５１から映像信号を取得する。表示制御部１５６は、取得した映像信号が示す画像を表示部１３に表示する。
また、表示制御部１５６は、例えば、ユーザにより指定されたラインと、第１領域と、第２領域と、第３領域と、を表示部１３に表示する。ライン、第１領域、第２領域、第３領域は、映像信号が示す画像に重畳して表示されてもよい。
また、表示制御部１５６は、第１測定部１５３からライン測定結果を取得する。表示制御部１５６は、ライン測定結果を表示部１３に表示する。
また、表示制御部１５６は、第２測定部１５５から領域測定結果を取得する。表示制御部１５６は、領域測定結果を表示部１３に表示する。
以上が、測定装置１０の構成についての説明である。
【００２３】
次に、測定装置１０の動作について説明する。
ここでは、ライン測定処理と、領域測定処理とついて説明する。ライン測定処理とは、ラインにおける映像信号の特徴量を測定する処理である。領域測定処理とは、領域における映像信号の特徴量を測定する処理である。
【００２４】
まず、ライン測定処理について説明する。
図３は、測定装置１０によるライン測定処理の流れを示す図である。
（ステップＳ１１）画像取得部１５１は、通信部１１を介して、撮像装置３０から映像信号を取得する。画像取得部１５１は、取得した映像信号を第１測定部１５３に出力する。その後、制御部１５は、ステップＳ１２に処理を進める。
（ステップＳ１２）ラインセレクタ処理部１５２は、入力部１２を介して、ラインの指定を受け付ける。ラインセレクタ処理部１５２は、ライン情報を第１測定部１５３に出力する。その後、制御部１５は、ステップＳ１３に処理を進める。
【００２５】
（ステップＳ１３）第１測定部１５３は、ラインにおける映像信号の特徴量を測定する。第１測定部１５３は、ライン測定結果を表示制御部１５６に出力する。その後、制御部１５は、ステップＳ１４に処理を進める。
（ステップＳ１４）表示制御部１５６は、ライン測定結果を表示部１３に表示する。その後、制御部１５は、図３に示す処理を終了する。
以上が、ライン測定処理の流れについての説明である。
【００２６】
次に、領域測定処理について説明する。
図４は、測定装置１０による領域測定処理の流れを示す図である。
（ステップＳ２１）画像取得部１５１は、通信部１１を介して、撮像装置３０から映像信号を取得する。画像取得部１５１は、取得した映像信号を第１測定部１５３に出力する。その後、制御部１５は、ステップＳ２２に処理を進める。
（ステップＳ２２）ラインセレクタ処理部１５２は、入力部１２を介して、ラインの指定を受け付ける。ここで、ラインセレクタ処理部１５２は、ｈ軸方向に平行な２本のラインと、ｖ軸方向に平行な２本のラインとの指定を受け付ける。ラインセレクタ処理部１５２は、ライン情報を第２測定部１５５に出力する。その後、制御部１５は、ステップＳ２３に処理を進める。
【００２７】
（ステップＳ２３）領域特定部１５４は、入力部１２を介して、基準パターンＳＴＤ１の配列の指定を受け付ける。その後、制御部１５は、ステップＳ２４に処理を進める。
（ステップＳ２４）領域特定部１５４は、入力部１２を介して、縮小率の指定を受け付ける。その後、制御部１５は、ステップＳ２５に処理を進める。
【００２８】
（ステップＳ２５）領域特定部１５４は、ラインと、配列と、縮小率とに基づいて、領域を特定する。領域特定部１５４は、特定した領域に識別情報を割当て、特定した領域の情報と領域の識別情報とを第２測定部１５５に出力する。その後、制御部１５は、ステップＳ２６に処理を進める。
【００２９】
ここで、ステップＳ２５の処理内容について、具体例を用いて説明する。
図５は、測定装置１０による領域の特定を説明するための図である。
図５に示す例において、表示部１３には、撮像装置３０が撮像した基準パターンＳＴＤ１が表示されている。また、表示部１３には、４本のラインＶＬ１、ＶＬ２、ＨＬ１、ＨＬ２が表示されている。ラインＶＬ１、ＶＬ２は、ｖ軸方向に平行なラインである。ラインＨＬ１、ＨＬ２は、ｈ軸方向に平行なラインである。４本のラインＶＬ１、ＶＬ２、ＨＬ１、ＨＬ２の位置は、ユーザにより指定される。
【００３０】
また、図５に示す例において、表示部１３には、４本のラインＶＬ１、ＶＬ２、ＨＬ１、ＨＬ２に囲まれた領域（第１領域）を分割する分割線ＤＶ１〜ＤＶ５、ＤＨ１〜ＤＨ３が表示されている。この例では、ユーザにより配列が４行６列である旨がユーザにより指定されている。従って、ｖ軸方向に平行な５本の分割線ＤＶ１〜ＤＶ５と、ｈ軸方向に平行な３本の分割線ＤＨ１〜ＤＨ３とが設定され、第１領域が分割されている。これにより、分割領域（第２領域）の各々は、基準パターンＳＴＤ１の各色の領域に対応する。
【００３１】
また、図５に示す例において、表示部１３には、第２領域を縮小した第３領域の範囲を示す枠ＥＡが表示されている。これにより、第３領域は、基準パターンＳＴＤ１の各色の領域の中心付近に対応する。従って、例えば、ｈ軸方向とＨ軸方向とが少しずれている場合や、基準パターンＳＴＤ１の各色の領域に枠が設けられている場合等、第２領域内に複数の色が含まれてしまう場合であっても、第３領域の色を単一にすることができる。従って、例えば特徴量の平均値を算出する場合等において、精度を向上させることができる。
また、図５に示す例において、表示部１３には、各領域の識別情報として、数字Ｎが表示されている。
【００３２】
（ステップＳ２６）第２測定部１５５は、領域における映像信号の特徴量を測定する。第２測定部１５５は、領域測定結果を表示制御部１５６に出力する。その後、制御部１５は、ステップＳ２７に処理を進める。
（ステップＳ２７）表示制御部１５６は、領域測定結果を表示部１３に表示する。その後、制御部１５は、図４に示す処理を終了する。
【００３３】
ここで、ステップＳ２７の処理により表示される領域測定結果について、具体例を用いて説明する。
図６は、測定装置１０による解析結果の表示例を示す図である。
ここでは、一例として、特徴量として色度を測定した場合について説明する。図６に示すグラフＧは、ｘｙ色度図である。グラフＧに示す領域Ｒは、図５に示す第３領域ＤＡの色度の測定結果を表す。領域Ｒのハッチングは、色を表している。図５に示す例では、領域Ｒの中心に向かう程、測定対象の領域の本来の色度に近い色度となる。ここでは、一例として、領域Ｒの外縁部のハッチングを破線化することにより、領域Ｒの外縁部では、測定対象の領域の本来の色度から徐々に離れていくことを表現している。測定対象の領域は、単一の色で構成されるため、理想的には１点にプロットされる。しかしながら、映像信号にはノイズが含まれるため、色度にばらつきが出て領域が広がっている。
【００３４】
領域Ｒ内に示す数字Ｎは、図５に示す数字Ｎに対応する。これにより、ユーザは、測定結果に示される領域Ｒが、撮像された画像内のうちのどの第３領域に対応しているのかを、直観的に把握することができる。なお、色度図は、ｕ’ｖ’色度図であってもよい。また、測定結果の表示態様は、測定する特徴量に応じて、任意に変更されてよい。
以上が、領域測定処理の流れについての説明である。
【００３５】
以上説明したように、本実施形態に係る測定装置１０は、第１方向（例えば、ｈ軸方向、ｖ軸方向）に沿って等間隔に並べられた複数の色の基準（例えば、基準パターンＳＴＤ１）を含む画像の画像信号（映像信号）を、撮像装置３０から取得する画像取得部１５１と、画像において、第１方向に沿った直線（例えば、ラインＶＬ１、ＶＬ２、ＨＬ１、ＨＬ２）を選択可能なラインセレクタ処理部１５２と、ラインセレクタ処理部１５２が選択した直線における画像の画像信号の特徴量（例えば、波形、ベクトル）を測定する第１測定部１５３と、ラインセレクタ処理部１５２が選択した直線に基づいて、画像の領域（例えば、第１領域、第２領域、第３領域）を特定する領域特定部１５４と、領域特定部１５４が特定した領域における画像の画像信号の特徴量を測定する第２測定部１５５と、を備える。
【００３６】
これにより、測定装置１０は、波形モニタやベクトルスコープという撮像装置３０に直接接続される装置でありながら、領域を指定した特徴量の測定を行うことができる。つまり、測定装置１０は、パーソナルコンピュータ等、別の装置に映像信号を取り込ませて処理する必要がない。また、ラインセレクタ機能という波形モニタやベクトルスコープに従来から備えられている機能を用いているため、構成の変更を最小限に留めながら、領域を指定した特徴量の測定を行うことができる。従って、測定装置１０は、映像信号の解析を容易にすることができる。
【００３７】
また、ラインセレクタ処理部１５２は、第１方向に沿った第１直線と第２直線と、第１方向に直交する第２方向に沿った第３直線と第４直線とを選択し、領域特定部１５４は、第１直線と第２直線と第３直線と第４直線とに囲まれた第１領域を特定する。
これにより、ユーザは、４つのラインを指定するだけで、特徴量の測定を行う領域を指定することができる。従って、測定装置１０は、映像信号の解析を容易にすることができる。
【００３８】
領域特定部１５４は、第１領域を分割して複数の第２領域を特定する。
これにより、ユーザは、複数の色の基準の１つ１つを指定しなくても、各色の領域を指定することができる。従って、測定装置１０は、映像信号の解析を容易にすることができる。
【００３９】
領域特定部１５４は、第２領域に含まれ、第２領域に比して小さい第３領域を特定する。
これにより、測定装置１０は、測定を行う領域に含まれる色を、１つの色に絞り込むことができる。従って、測定装置１０は、特徴量の測定精度を向上させ、映像信号の解析を容易にすることができる。
【００４０】
第２測定部１５５は、領域特定部１５４が特定した複数の領域各々の識別情報と、当該複数の領域各々の画像信号の特徴量とを対応付けて表示する。
これにより、ユーザは、測定対象の領域と、測定結果との対応関係を容易に把握することができる。従って、測定装置１０は、映像信号の解析を容易にすることができる。
【００４１】
以上、この発明の実施形態について図面を参照して詳述してきたが、具体的な構成は上述の実施形態に限られるものではなく、この発明の要旨を逸脱しない範囲の設計等も含まれる。例えば、上述の実施形態において説明した各構成は、任意に組み合わせることができる。また、例えば、上述の実施形態において説明した各構成は、特定の機能を発揮するのに不要である場合には、省略することができる。
【００４２】
また、上述した実施形態では、一例として、基準パターンが、縦方向と横方向に、複数の色を並べたパターンＳＴＤ１である場合について説明したが、基準パターンは、これには限られない。例えば、基準パターンは、図７に示すパターンＳＴＤ２のようにグレイスケールであってもよい。また、基準パターンの各色の領域は、矩形でなく、円形等であってもよい。
また、上述した実施形態では、一例として、領域測定処理では、第３領域について測定を行う場合について説明したが、これには限られない。領域測定処理では、第１領域や第２領域について、特徴量を測定してもよい。
【００４３】
また、上述の測定装置１０の機能を実現するためのプログラムをコンピュータ読み取り可能な記録媒体に記録して、この記録媒体に記録されたプログラムをコンピュータシステムに読み込ませ、実行することにより測定装置１０としての処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。また、記録媒体には、当該プログラムを配信するために配信サーバからアクセス可能な内部または外部に設けられた記録媒体も含まれる。配信サーバの記録媒体に記憶されるプログラムのコードは、端末装置で実行可能な形式のプログラムのコードと異なるものでもよい。すなわち、配信サーバからダウンロードされて端末装置で実行可能な形でインストールができるものであれば、配信サーバで記憶される形式は問わない。なお、プログラムを複数に分割し、それぞれ異なるタイミングでダウンロードした後に端末装置で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムに既に記録されているプログラムとの組み合わせで実現できるもの、いわゆる差分ファイル（差分プログラム）であってもよい。
【００４４】
また、上述した測定装置１０の機能の一部または全部を、ＬＳＩ（Ｌａｒｇｅ  Ｓｃａｌｅ  Ｉｎｔｅｇｒａｔｉｏｎ）等の集積回路として実現してもよい。上述した各機能は個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【符号の説明】
【００４５】
１０…測定装置、１１…通信部、１２…入力部、１３…表示部、１４…記憶部、１５…制御部、１５１…画像取得部、１５２…ラインセレクタ処理部、１５３…第１測定部、１５４…領域特定部、１５５…第２測定部、１５６…表示制御部、３０…撮像装置
【図１】
0006678045.tif 000002
【図２】
0006678045.tif 000003
【図３】
0006678045.tif 000004
【図４】
0006678045.tif 000005
【図５】
0006678045.tif 000006
【図６】
0006678045.tif 000007
【図７】
0006678045.tif 000008